(57)【要約】      （修正有）【課題】広い空間を必要とせずにスナップを効かせるための練習を短時間で繰り返し行うことのできる野球投手用練習具を提供する。【解決手段】断面円形の軸３と、軸を貫通させる断面円形の孔を有する直径略７０ｍｍの球体２と、軸の一端から延伸されたグリップ４とを備え、球体は軸を中心に回転することを特徴とする。球体の両側に止め板５ａ，５ｂを設け、止め板を移動させて回転に対する抗力を調整できるようにする。球体の表面を実際の野球用のボールの表面と同様の形状及び材質で作成する。【選択図】図１
0003184325.tif 000002
【実用新案登録請求の範囲】
【請求項１】
断面円形の軸と、
前記軸を貫通させる断面円形の孔を有する直径略７０ｍｍの球体と、
前記軸の一端から延伸されたグリップとを備え、
前記球体は前記軸を中心に回転することを特徴とする、野球投手用練習具。
【請求項２】
前記軸の前記球体の両側に、前記球体の前記軸の長手方向の移動を係止する２枚の止め板を備えることを特徴とする、請求項１に記載の野球投手用練習具。
【請求項３】
前記２枚の止め板の少なくとも一方は前記軸の長手方向に移動可能であり、
その移動によって、前記２枚の止め板が前記球体に押し付けられた状態とすることができ、
前記球体に押し付けられた状態における前記止め板の移動によって前記２枚の止め板と前記球体との間の摩擦力としての前記球体の前記軸を中心とする回転に対する抗力が変化することを特徴とする、請求項１又は２に記載の野球投手用練習具。
【請求項４】
前記球体の表面が、野球用のボールの表面と同様の形状及び材質で作成されていることを特徴とする、請求項１〜３のいずれか１項に記載の野球投手用練習具。
【考案の詳細な説明】
【技術分野】
【０００１】
本考案は、野球の投手が投球にスナップを効かせるようにするための野球投手用練習具に関するものである。
【背景技術】
【０００２】
野球において、投手が投球する際に、手首又は手指を活用してボールに加速度を与える「スナップ」を効かせることが、ヒットを打たれてしまう可能性を小さくするために有効である。
【０００３】
スナップを効かせるための練習は、ボールを持たずに行うシャドウピッチングによっては困難である。加速度を与える対象物としてのボールが練習に重要であること、ボールを持たない場合には加速度を手首又は手指で吸収せねばならず筋肉を傷める可能性があること、がその理由である。
一方、実際にボールを投げての練習は、ボールを投げるための広い空間が必要となり、機会が制限されてしまっていた。
【０００４】
広い空間を必要とせずにスナップを効かせるための練習を行える野球投手用練習具として、特許文献１には、ロール状に巻いた帯をボールの形状としたものが開示されている。
しかし、特許文献１に開示された野球投手用練習具は、一度投球すると帯を巻きなおさねばならず、短時間で繰り返しの投球練習を行うことができないものであった。
【先行技術文献】
【特許文献】
【０００５】
【特許文献１】特開２０１１−１６０８４９号公報
【考案の概要】
【考案が解決しようとする課題】
【０００６】
解決しようとする課題は、広い空間を必要とせずにスナップを効かせるための練習を短時間で繰り返し行うことのできる野球投手用練習具を提供することである。
【課題を解決するための手段】
【０００７】
本考案の野球投手用練習具は、
断面円形の軸と、
前記軸を貫通させる断面円形の孔を有する直径略７０ｍｍの球体と、
前記軸の一端から延伸されたグリップとを備え、
前記球体は前記軸を中心に回転することを特徴とする。
【０００８】
右投げの投手であれば、左手にグリップを保持し、右手で球体を投球時と同様に握り、手首と手指で球体を回転させる。これにより、スナップを効かせるための練習を行うことができる。左投げの投手であれば左右の手を逆にすればよい。
１秒につき１回程度のペースで、繰り返して練習を行うことができる。
なお、「直径略７０ｍｍ」は、野球に用いられるボールの直径である。直径は、軟式野球のボールでは６４ｍｍ〜７２．５ｍｍ、硬式野球のボールでは７２．８〜７４．９ｍｍ（公認野球規則による。）である。６４ｍｍ〜７５ｍｍの範囲が「直径略７０ｍｍ」に含まれる。
【０００９】
本考案の野球投手用練習具は、
前記軸の前記球体の両側に、前記球体の前記軸の長手方向の移動を係止する２枚の止め板を備えることを特徴とする。
【００１０】
球体の位置を固定し、繰り返しの練習を容易にする。
【００１１】
本考案の野球投手用練習具は、
前記２枚の止め板の少なくとも一方は前記軸の長手方向に移動可能であり、
その移動によって、前記２枚の止め板が前記球体に押し付けられた状態とすることができ、
前記球体に押し付けられた状態における前記止め板の移動によって前記２枚の止め板と前記球体との間の摩擦力としての前記球体の前記軸を中心とする回転に対する抗力が変化することを特徴とする。
【００１２】
回転に対する抗力は、練習時に要求されるスナップ力に相当する。その強弱を調整することができる。抗力を弱くして球体が容易に回転するようにし、スナップの与え方の基本を練習することができる。逆に、抗力を強くして球体を回転させるために強いスナップ力を要するようにし、スナップ力を与える筋肉を鍛える練習することができる。
【００１３】
本考案の野球投手用練習具は、
前記球体の表面が、野球用のボールの表面と同様の形状及び材質で作成されていることを特徴とする。
【００１４】
実際の野球用のボールと同様の感触のもので練習を行うことができる。
【考案の効果】
【００１５】
広い空間を必要とせずにスナップを効かせるための練習を短時間で繰り返し行うことのできる野球投手用練習具が提供される。
更に、練習時に要求されるスナップ力の強弱を調整することができる。また、実際の野球用のボールと同様の感触のもので練習を行うことができる。
【図面の簡単な説明】
【００１６】
【図１】図１は、野球投手用練習具を示す図である。
【考案を実施するための形態】
【００１７】
図１は、野球投手用練習具を示す図である。野球投手用練習具１は、球体２、軸３、グリップ４、止め板５、その他の部品から構成される。
球体２には、軸３が貫通している。軸３の一端からグリップ４が延伸されている。球体２の両側に、止め板５ａ及び５ｂが備えられている。止め板５ａは、座金付ナット６ａによってグリップ４に対して一定の距離で固定されている。袋ナット６ｂがボルト状のネジ山を形成された軸３の先端に付けられており、袋ナット６ｂを回転させて軸３に対して図の左右方向に移動させることにより、弾性を持った回転調整パイプ７を介して止め板５ｂが移動する。この移動によって止め板５ａと５ｂとの距離が変動し、止め板５ａ及び５ｂが球体２に押し付けられる力が変化する。これによって、止め板５ａ及び５ｂと球体２との間の摩擦力としての球体２の軸３を中心とする回転に対する抗力が変化する。
【００１８】
球体２は、直径６６ｍｍの野球用のボールに、軸３を貫通させるための孔を設けたものである。表面は野球用のボールと同じものである。
【００１９】
右投げの投手が、左手にグリップ４を保持し、右手で球体２を投球時と同様に握り、手首と手指のスナップによって球体２を回転させる。球体２の表面は野球用のボールと同じものであり、実際の投球に近い感触を得ることができる。
【００２０】
投手は、自身の練習の目的に合わせて、球体２の回転に対する抗力の強弱を調整することができる。袋ナット６ｂを回転させて止め板５ｂを図の左方に移動させれば止め板５ａ及び５ｂと球体２との間の摩擦力としての球体２の軸３を中心とする回転に対する抗力が大きくなり、図の右方に移動させれば止め板５ａ及び５ｂと球体２との間の摩擦力としての球体２の軸３を中心とする回転に対する抗力が小さくなる。
【００２１】
野球投手用練習具１を持ち歩くことで、移動中の交通機関内等においてもスナップを効かせた投球を行うための練習をすることができる。
【産業上の利用可能性】
【００２２】
広い空間を必要とせずにスナップを効かせるための練習を短時間で繰り返し行うことのできる野球投手用練習具であり、多くの投手による利用が考えられる。
【符号の説明】
【００２３】
１    野球投手用練習具
２    球体
３    軸
４    グリップ
５    止め板
６    ナット
７    回転調整パイプ
【図１】
0003184325.tif 000003